(57)【要約】【課題】拭き取り機能を重視したもので、細かい塵介も、比較的に大きな塵介をも補集でき、しかも凹凸のある個所の拭き取りも可能にした、安価で使い捨て可能な清掃用具を提供する。【解決手段】握り部と挿入部から成る柄部と、この柄部の前記挿入部に対し着脱可能に取り付けられる刷毛部とから成り、この刷毛部を前記柄部の挿入部の挿入方向と直交する方向に毛足を揃えて適宜厚さで積層配置された繊維物と、この繊維物の上側に重ねられ前記柄部の挿入部を挿入させる袋状の挿入間隙を形成させる一対の基材シートと、前記繊維物の下側の前記柄部の挿入部の挿入方向と交叉する方向に適宜間隔を空けて並置された撚糸状の太糸状物とから構成し、この太糸状物と前記繊維物及び前記一対の基材シートを該一対の基材シートに前記挿入間隙を形成させる固着手段で一体に固着する。【選択図】          図５
2004283338.tif 000002
【特許請求の範囲】
【請求項１】
握り部と挿入部から成る柄部と、この柄部の前記挿入部に対し着脱可能に取り付けられる刷毛部とから成り、この刷毛部を前記柄部の挿入部の挿入方向と直交する方向に毛足を揃えて適宜厚さで積層並置された繊維物と、この繊維物の上側に重ねられ前記柄部の挿入部を挿入させる袋状の挿入間隙を形成させる一対の基材シートと、前記繊維物の下側の前記柄部の挿入部の挿入方向と交叉する方向に適宜間隔を空けて並置された撚糸状の太糸状物とから構成し、この太糸状物と前記繊維物及び前記一対の基材シートを該一対の基材シートに前記挿入間隙を形成させる固着手段で一体に固着したことを特徴とする、清掃用具。
【請求項２】
握り部と挿入部から成る柄部と、この柄部の前記挿入部に対し着脱可能に取り付けられる刷毛部とから成り、この刷毛部を前記柄部の挿入部の挿入方向と直交する方向に毛足を揃えて適宜厚さで積層並置された繊維物と、この繊維物の上側に重ねられ前記柄部の挿入部を挿入させる袋状の挿入間隙を形成させる一対の基材シートと、前記繊維物の下側の前記柄部の挿入部の挿入方向と交叉する方向に適宜間隔を空けて並置された撚糸状の太糸状物と、この太糸状物の下側に当てた幅狭の下面シートとから構成し、この下面シートと前記太糸状物と前記繊維物及び前記一対の基材シートを該一対の基材シートに前記挿入間隙を形成させる固着手段で一体に固着したことを特徴とする、清掃用具。
【請求項３】
前記太糸状物と繊維の一部下面側は、その略中央部において前記柄部の挿入部の挿入方向に切断されていることを特徴とする、請求項１に記載の清掃用具。
【請求項４】
前記固着手段は縫着であることを特徴とする、請求項１乃至３のいずれかに記載の清掃用具。
【請求項５】
前記固着手段は、融着であることを特徴とする、請求項１乃至３のいずれかに記載の清掃用具。
【請求項６】
前記繊維物は熱可塑性繊維を含んでいることを特徴とする、請求項１乃至５のいずれかに記載の清掃用具。
【請求項７】
前記一対の基材シート及び下面シートは、熱可塑性材質の不織布、又は熱可塑性樹脂フィルムであることを特徴とする、請求項１乃至６のいずれかに記載の清掃用具。
【請求項８】
前記太糸状物は、その全部或は一部に熱可塑性材質の繊維を含んでいることを特徴とする、請求項１乃至７のいずれかに記載の清掃用具。
【請求項９】
前記刷毛部の全部或は一部には、着塵剤、消臭剤、保湿剤、抗菌剤の全部或は一部を塗布或は含有させて成ることを特徴とする、請求項１乃至７のいずれかに記載の清掃用具。
【発明の詳細な説明】
【０００１】
【発明の属する技術分野】
この発明は、柄部と、この柄部の挿入部に着脱可能に装着されて用いられる刷毛部から成る安価な使い捨ての清掃用具に関する。
【０００２】
【従来の技術】
従来、この種の清掃用具としては、一般的に木綿などの糸を撚ったモップパイルを布製の基布に多数本縫い付けたものを保持具に留めたものが公知である。この従来公知の清掃用具は、ユーザーに、清掃用具をレンタル（貸与）し、ユーザがある一定期間使用してモップコード糸が汚れると、業者が回収し、新たな清掃用具と取り替えるという、いわゆる、レンタル（貸与）方式の製品となっている。このため、業者等は、汚れた清掃用具をきれいにして繰り返し使用が可能なように耐久性を持たせており、このことが、清掃用具の製造コストを引き上げる原因になっている。また、レンタル先や清掃用具の交換のためにユーザーを訪問するというサービスや、汚れた清掃用具をきれいにするという清浄処理にもコストがかかるため、結果的に、ユーザーにとっては、便利な反面、レンタル料に対し、割高感の印象を与える結果となっている。
【０００３】
そこで、最近は、安価な使い捨ての清掃用具として以下に示す特許文献に記載されたものが公知である。
【０００４】
【特許文献１】特開平９−３８００９号公開特許公報
【特許文献２】特開平１１−２７６４０２号公開特許公報
【０００５】
上述した特許文献１のものは、はたきとしての機能と拭き取り布としての機能を合わせ持つもので、先端に挿入ヘッドを有する可撓性材質の柄部と、この柄部の挿入ヘッドを着脱可能に挿入させる袋状の挿入孔を設けた平面状の拭き取り部と、この拭き取り部の周辺或は下面に設けた短冊状又はパイプ状のはたき部から成るものであり、特許文献２のものは、拭き取り布としての機能を持つもので、先端に挿入部を有する柄部と、この柄部の挿入部を着脱可能に挿入させる袋状の挿入孔を設けた基材シートと、この基材シートに熱融着させた繊維層又は短冊状フィルムとから成るものである。
【０００６】
【発明が解決しようとする課題】
上述した特許文献１のものは、一つの清掃用具ではたきとしての機能と拭き取り布としての機能の両方を満足しようとするものであるため、中途半端なものとなり、結局どちらも充分に満足させることができないという問題点があり、特許文献２ものものは、刷毛部が繊維層のみであると細かい塵介の補集機能は有しても、比較的に大きな塵介の補集機能に劣るという問題点があった。
【０００７】
この発明の目的は、拭き取り機能を重視したもので、細かい塵介も、比較的に大きな塵介をも補集でき、しかも凹凸のある個所の拭き取りも可能にした、安価で使い捨て可能な清掃用具を提供せんとするにある。
【０００８】
【課題を解決するための手段】
上述した目的を達成するためにこの発明は、握り部と挿入部から成る柄部と、この柄部の前記挿入部に対し着脱可能に取り付けられる刷毛部とから成り、この刷毛部を前記柄部の挿入部の挿入方向と直交する方向に毛足を揃えて適宜厚さで積層並置された繊維物と、この繊維物の上側に重ねられ前記柄部の挿入部を挿入させる袋状の挿入間隙を形成させる一対の基材シートと、前記繊維物の下側の前記柄部の挿入部の挿入方向と交叉する方向に適宜間隔を空けて並置された撚糸状の太糸状物とから構成し、この太糸状物と前記繊維物及び一対の基材シートを該一対の基材シートに前記挿入間隙を形成させる固着手段で一体に固着したことを特徴とする。
【０００９】
この発明はまた、握り部と挿入部から成る柄部と、この柄部の前記挿入部に対し着脱可能に取り付けられる刷毛部とから成り、この刷毛部を前記柄部の挿入部の挿入方向と直交する方向に毛足を揃えて適宜厚さで積層並置された繊維物と、この繊維物の上側に重ねられ前記柄部の挿入部を挿入させる袋状の挿入間隙を形成させる一対の基材シートと、前記繊維物の下側の前記柄部の挿入部の挿入方向と交叉する方向に適宜間隔を空けて並置された撚糸状の太糸状物と、この太糸状物の下側に当てた幅狭の下面シートとから構成し、この下面シートと前記太糸状物と前記繊維物及び前記一対の基材シートを該一対の基材シートに前記挿入間隙を形成させる固着手段で一体に固着したことを特徴とする。
【００１０】
この発明は、上記いずれの場合にも、前記太糸状物と繊維の一部下面側を、その略中央部において前記柄部の挿入部の挿入方向に切断させることができる。
【００１１】
この発明はまた、上記いずれの場合にも、前記固着手段を縫着或は融着とすることができる。
【００１２】
この発明はさらに、上記いずれの場合にも、前記繊維物の全部或は一部を熱可塑性繊維を含んだものとすることができる。
【００１３】
この発明はさらに、上記いずれの場合にも、前記基材シート及び下面シートを、熱可塑性材質の不織布、又は熱可塑性樹脂フィルムとすることができる。
【００１４】
そしてこの発明は、上記いずれの場合にも、前記刷毛部の全部或は一部に着塵剤、消臭剤、保湿剤、抗菌剤の全部或は一部を塗布或は含有させたものとすることができる。
【００１５】
【発明の実施の形態】
図面はこの発明の一実施の形態を示し、とくに図１乃至図３において、指示記号１のものは柄部であり、この柄部１は一本の平板状の挿入部２と、握り部３とから成り、この握り部３には挿入部２に対する接続部に向けて湾曲部３ａが形成されている。挿入部２にはその略中央部の両側部に、縁部を該縁部に沿ってくり抜くことにより弾性部２ａ，２ａが形成されている。尚、この挿入部２の構成は実施の形態のものに限定されず、二又のフォーク状のものであっても良いし、丸棒状、角状のものであっても良く、その形状、構成に限定はない。弾性部２ａ，２ａの形状も実施の形態のものに限定されない。要するにこの挿入部２を後述する刷毛部の挿入間隙へ挿入した際に、容易に抜け出さないように挿入間隙の中で突っ張る構成のものであれば足りる。挿入部２の基部両側には、弾性を付与された押圧舌片２ｂ，２ｂが突設されると共に、先端部両側には係止爪２ｃ，２ｃている。
【００１６】
次に、とくに図１と図４乃至図７に示したように、指示記号４のものが刷毛部である。この刷毛部４は平面略楕円形状に打ち抜いて、図面上は正確に図示していないが、Ｘ方向に毛足を揃えた長繊維層から成る繊維物５と、この繊維物５の上面に重ねられた不織材から成る一対の基材シート６，７と、前記繊維物５の下面に適宜間隔を空けて並置され、該繊維物５と溶着された複数本の毛糸から成る太糸状物８とから成り、繊維物５、基材シート６、７及び太糸状物８は、基材シート６、７間に上記した柄１の挿入部２を挿入させる袋状の挿入間隙９を形成させる際に同時に縫合させて一体化されている。即ち、挿入間隙９の輪郭は、縫合糸１０によって形成されている。
【００１７】
繊維物５は、例えば一般的にトウと呼ばれる長繊維層が使用される。この長繊維層は、例えばポリエチレン、ポリプロピレン、ナイロン、ポリエステル、レーヨンなどから製造される。この中でも、芯がポリエステル、鞘がポリエチレンの複合繊維を用いることが好ましい。その他、芯がポリエチレンテレフタレート、鞘がポリエチレンの複合繊維、芯と鞘がポリエチレンテレフタレートの複合繊維、芯がポリエチレンテレフタレート鞘がポリプロピレンの複合繊維、芯と鞘がポリプロピレンの複合繊維、芯がポリプロピレン鞘がポリエチレンの複合繊維が長繊維として用いられても良い。また、複合繊維のデニールは１〜５０ｄ／ｆが好ましく、更に好ましくは２〜１０ｄ／ｆである。さらに、繊維物４は図示のものは固着部分を除いて捲縮させたものを使用しているが、全長を長繊維層で構成しても良い。この繊維物５はその全部を上述した材料で構成されることは必ずしも必要ではなく、その一部に含めれば足りる。
【００１８】
基材シート６，７を構成する不織材は、不織紙、不織布、及び紙繊維と布繊維とを混ぜて織らずに形成した材料を意味し、具体的にはパルプ、こうぞう、藁、三椏等の製紙材料となる繊維からなる不織紙、布材料として用いられる天然繊維または合成繊維から成る不織布、および製紙材料となる繊維と布繊維とを混ぜた不織材等を挙げることができる。
【００１９】
さらに、不織材に熱融着可能な熱可塑性材質の不織布を用いる場合、この不織布３はスパンボンドやエアースルー法で形成されたものに限られず、サーマルボンド、スパンレース、ポイントボンド、メルトブロー、ステッチボンド、ケミカルボンド、ニードルパンチなどで形成されたものであっても良い。
【００２０】
太糸状物８は、基本的には繊維物５と同じ素材を用いて撚糸状にしたもので、その全部或は一部に溶着可能な熱可塑性材質のものを含む素材とする。太さは２．５ｍｍ程度のものを用いたが、このものに限定されず１ｍｍ〜３ｍｍ程度のものを適宜も用いると良いであろう。
【００２１】
刷毛部４の製造方法としては、まず、複数本の太糸状物８の毛足をＸ方向に揃えて適宜間隔を空けて並べ、この太糸状物８に同じくＸ方向に毛足を揃えた繊維物５を重ね、両者をＹ方向に熱融着させる。この熱融着の方法は、挿入間隙９を形成する縫合の際の縫い糸の位置に合わせて２条とするのが望ましい。次いで、繊維物５の上に一対の基材シート６，７を重ねた後、Ｙ方向に柄部１の挿入部２の幅に２条の縫い目を入れて、基材シート６，７、繊維物５及び太糸状物８を一体に縫合するものである。
【００２２】
このようにすると、一対の基材シート６，７の間にＹ方向へ延びる挿入間隙９が形成される。次いで、刷毛部４の四角を丸くカットし、さらに太糸状物８の中央部をＹ方向にハサミを入れて切断することによって、毛足の短い短刷毛部８ａが形成されるものである。尚、このハサミを入れる際に、太糸状物８は全部切断されなくても良い。また、この時に繊維物５も少し切断される場合もある。
【００２３】
以上のように構成した刷毛部４の一対の基材シート６，７の間に縫合糸によって形成された挿入間隙９へその入口側から柄部１の挿入部２を挿入させてやると、該挿入部２の縁部に設けた弾性部２ａ，２ａが挿入間隙９内に突っ張り、押圧舌片２ｂ，２ｂが上側の基材シート７を下側の基材シート６へ押し付け、さらに、係止爪２ｃ，２ｃが挿入間隙９の内側を係止することにより、挿入部２より刷毛部４が抜け出ないようになるものである。
【００２４】
このように構成した清掃用具を用いてテーブルや、パソコン等電気製品、陳列棚やその上に展示された商品その他の物の埃や塵介或は汚れを取る場合には、柄部１の握り部３を片手に持って対象物の上側を拭くことにより、小さな塵介や埃は繊維物５の繊維に附着し、髪の毛のような比較的に大きな塵介は太糸状物８によってからめ取られるものであり、汚れは刷毛部４の中央部Ｙ方向に設けられた太糸状物８の毛先の短い短刷毛部８ａと繊維物５の柄部１の挿入部２が当てられている平坦部５ａによって拭き取られるものである。
【００２５】
上述した刷毛部４には、必要に応じて着塵剤を塗布することで埃の吸着補捉効果を高めることができる。着塵剤は、例えば海面活性剤、ミネラルオイル、ワックスなどである。あるいは接着力を弱めたアクリル系接着剤やホットメルト接着剤を塗布しても良い。また前記着塵剤の他、例えば消臭剤、保湿剤、抗菌剤等の物質を含有させることができる。
【００２６】
尚、一対の基材シート１１，１２、繊維物１３、及び太糸状物１４は、図８と図９に示した刷毛部１５の他の実施の形態のもののように、上記した縫合線に沿って一体に熱融着することは可能である。この場合は縫合は省略することができる。融着の方法としては、熱エンボス加工や超音波溶着手段を用いることができる。図中指示記号１６で示したものは融着部である。
【００２７】
図１０と図１１は刷毛部２０の他の実施の形態を示し、図面によれば、太糸状物２１は、当接シート２２を介して繊維物２３と基材シート２４，２５に縫合されている。勿論、この縫合は、上述した融着であっても良い。
【００２８】
このように実施すると、縫合の前に予め太糸状物２１を繊維物２３へ融着させる手間を省略できる。当接シート２２は上述した不織材が用いられる。
【００２９】
【発明の効果】
この発明は以上のように構成したので、次のような効果を奏し得る。
【００３０】
請求項１のように構成すると、テーブルやパソコン等の電子機器、テレビ、棚等のさまざまな家具や備品に附着した埃や塵介或は汚れを払ったり拭き取ることができ、簡単な構成なので安価であることから、容易に使い捨てができる清掃用具を提供できるものである。
【００３１】
請求項２のように構成すると、請求項１と同じ効果を奏することができると共に、刷毛部を構成するのに下面シートによって太糸状物を押えることにより、縫合時の太糸状物の位置ずれが生じないので、太糸状物と繊維物を予め固着しなくとも良く、一回の工程で刷毛部を構成できるという効果を奏し得る。
【００３２】
請求項３のように構成すると、中央部で切断した太糸状物が毛足の短い短刷毛部となるので、比較的に大きな塵介を補集できる上に、汚れに対する拭き取り効果を増大させることができるという効果を奏し得る。
【００３３】
請求項４のように構成すると、各シート、繊維物及び太糸状物の全部或は一部を熱可塑性材料で構成しなくとも良いという効果を奏し得る。
【００３４】
請求項５のように構成すると、固着を１回の工程で行うことができ、制作工程を省略して制作コストを下げることができるという効果を奏し得る。
【００３５】
請求項６と７のように構成すると、繊維物の熱融着が可能となり繊維のトウの固定が堅固なものとなるという効果を奏し得る。
【００３６】
請求項８のように構成すると、刷毛部全体を熱融着することができるので、刷毛部の制作がより安価となるという効果を奏し得る。
【００３７】
請求項９のように構成すると、刷毛部の全部或は一部に塗布或は含有させる薬剤により、着塵効果や消臭効果、保湿効果及び抗菌効果を高めることができるという効果を奏し得る。
【図面の簡単な説明】
【図１】この発明に係る清掃用具の柄部と刷毛部を分離してみた斜視図である。
【図２】この発明に係る清掃用具の柄部の平面図である。
【図３】この発明に係る清掃用具の柄部の底面図である。
【図４】この発明に係る清掃用具の平面図である。
【図５】この発明に係る清掃用具の側面図である。
【図６】この発明に係る清掃用具の底面図である。
【図７】図２に示した清掃用具の横断面図である。
【図８】この発明に係る清掃用具の他の実施の形態を示す底面図である。
【図９】図８に示した清掃用具を裏返して見た横断面図である。
【図１０】この発明に係る清掃用具の他の実施の形態を示す底面図である。
【図１１】図１０に示した清掃用具を裏返して見た横断面図である。
【符号の説明】
１  柄部
２  挿入部
３  握り部
４，１６  刷毛部
５，１３，２３  繊維物
６，１１，２４  基材シート
７，１２，２５  基材シート
８，１４，２１  太糸状物
８ａ  短刷毛部
９  挿入間隙
１０  縫合糸
１６  融着部
【図１】
2004283338.tif 000003
【図２】
2004283338.tif 000004
【図３】
2004283338.tif 000005
【図４】
2004283338.tif 000006
【図５】
2004283338.tif 000007
【図６】
2004283338.tif 000008
【図７】
2004283338.tif 000009
【図８】
2004283338.tif 000010
【図９】
2004283338.tif 000011
【図１０】
2004283338.tif 000012
【図１１】
2004283338.tif 000013